(57)【要約】【課題】室内機に設けられた横ルーバに負担がかからないダンボール製サイドパッドを提供すること。  【構成】空気調和機を構成する室内機の両端部を把持した状態で該室内機を梱包するための段ボール製サイドパッドであって，  該サイドパッドの展開図中に，上記梱包された室内機に設けられた横ルーバの回動軸に平行な第１の折目線に沿って折り曲げられる連結片と，上記連結片と上記横ルーバの回動軸に平行な第２の折目線を介して連結されると共に，上記第２の折目線に沿って折り曲げられ，上記横ルーバの回動端が当接する支持片とが含まれてなる段ボール製サイドパッド。【選択図】図２
2006089045.tif 000002
【特許請求の範囲】
【請求項１】
空気調和機を構成する室内機の両端部を把持した状態で該室内機を梱包するための段ボール製サイドパッドであって，
該サイドパッドの展開図中に，
上記梱包された室内機に設けられた横ルーバの回動軸に平行な第１の折目線に沿って折り曲げられる連結片と，
上記連結片と上記横ルーバの回動軸に平行な第２の折目線を介して連結されると共に，上記第２の折目線に沿って折り曲げられ，上記横ルーバの回動端が当接する支持片とが含まれてなる段ボール製サイドパッド。
【請求項２】
上記支持片上の対向する反対側縁部に係合端部がそれぞれ形成されてなると共に，サイドパッドの展開図中に，上記係合端部とそれぞれ対応する係合スリットが形成され，組み立て途中で上記係合端部をそれぞれ対応する上記係合スリットと係合させることで上記支持片をサイドパッド内に位置固定するように構成されてなる請求項１記載の段ボール製サイドパッド。
【請求項３】
上記支持片の骨材の波形状断面に垂直の方向に横ルーバが把持されてなる請求項１又は２に記載の段ボール製サイドパッド。
【発明の詳細な説明】
【技術分野】
【０００１】
本発明は，空気調和機を構成する室内機の両端部を把持した状態で該室内機を梱包するための段ボール製サイドパッドに係り，特に梱包する室内機に設けられた横ルーバを損傷しないように安定して横ルーバを把持するための構造を備えた段ボール製サイドパッドに関するものである。
【背景技術】
【０００２】
従来，空調機を構成する室内機１には図５に示すように，室内機１から吹出される空気調和された空気の噴出し方向を調整するための１乃至複数の横ルーバ２６（２６ａ，２６ｂ…）が設けられている。複数の横ルーバ２６のうち，２６ａは上横ルーバ，２６ｂは，下横ルーバである。
上記のようなルーバ２６は，プラスティック製の薄板からなっており壊れやすいので，室内機を梱包する時には，図９に示すように室内機１の両端部を緩衝材を構成する段ボール製サイドパッド２０，２０で把持した状態で包装箱２３に収納することで，室内機１を浮かした状態として，横ルーバ２６が包装箱２３の内面と干渉しないようにして，横ルーバ２６の損傷を防止している。
【０００３】
ここで従来の段ボール製サイドパッド２０の構造を図６，図７及び図１３を参照して説明する。ここに図６及び図７は，従来の段ボール製サイドパッド２０の組み立て手順を示す斜視図，図１３は，従来の段ボール製サイドパッド２０の展開図である。
段ボール製サイドパッド２０は，図１３に展開図で示すようなパッド外枠２０ａとパッド内枠２０ｂとを組合したものである。
パッド外枠２０ａは，図６（ａ）に示すように，まず展開状態のパッド外枠を四角筒状に折り曲げた後，上下の折曲片２０−１を矢印で示すように内側に折り曲げる。
次に，図６（ｂ）に示すように，左右の折曲片２０−２を矢印で示すように内側に折り曲げることで，図６（ｃ）に示すような段つきの箱状に構成される。
一方，パッド内枠２０ｂは，図６（ｄ）に示されるように，左右の折曲片２０−３が矢印で示されるように底板２０−４に対して垂直に立てられた後，図６（ｅ）に示すように片側の折曲片２０−５が内側に折り込まれて図６（ｆ）に示す状態にされる。
この状態でパッド外枠２０ａと内枠２０ｂとは，図７（ａ）に示されるように組み合わされる。
図７（ａ）は図６（ｃ）及び（ｇ）に示したパッド外枠２０ａと内枠２０ｂの組品を後ろ側から見た斜視図であり，その後，図７（ａ）に示されるように，パッド外枠２０ａ側の上下の折曲片２０−６が矢印で示されるように内側に向けて折り曲げられ，パッド外枠２０ａ側の爪２０−７をパッド内枠２０ｂ側の折曲片２０−８と係合させることで折り曲げ状態を安定させる。
更に，図７（ｂ）に示されるように，左右の折曲片２０−９が矢印で示されるように内側に折り込まれて，図７（ｃ）で示すように段ボール製サイドパッド２０が完成する。なお，折曲片２０−１０は，把手を構成するためのものである。
上記のように上記従来の段ボール製サイドパッド２０は，２枚の段ボールを巧妙に組み合わせただけのものであるので，製造にかかる時間の短縮及び材料費を著しく低減できる点で優れたものである。
しかしながら上記のような段ボール製サイドパッド２０で両端が把持される室内機１に設けられた前記横ルーバ２６は，梱包された状態では回動自在であり包装箱２３の振動などに応じて横ルーバ２６が自由に回動してしまうことで，横ルーバ２６の回動軸やその支持部あるいは横ルーバ２６自体に不要な応力がかかり，横ルーバ２６やその回動軸部に損傷を生じる原因となる。図８は，横ルーバ２６が自由回動する状態を示すものである。
この点，特許文献１に開示の段ボール製サイドパッドでは，図１０の展開図で示されるように，折曲片３に折目線３ａで接続された連結片７と，該連結片７に折目線７ａで接続された支持片１２とが設けられており，上記支持片１２が横ルーバ２６と当接することで横ルーバ２６の自由な回動を阻止することができる構造となっている。
【特許文献１】特開平９−１１８３７０号公報
【発明の開示】
【発明が解決しようとする課題】
【０００４】
この従来の段ボール製サイドパッドは，図１１及び図１２（ｂ）に示すような組立構造となっているので，横ルーバが上記支持片１２に当接して支持され，横ルーバの回動が阻止されることで，横ルーバの状態を安定させるものであるが，図１１から容易に理解されるように，横ルーバは同時に前記連結片７にもその折目線７ａで接触して支持される。ここに上記連結片７は，該段ボール製サイドパッドで把持された横ルーバ２６の回動軸に垂直の前記折目線３ａで折り曲げられているので，横ルーバの回動端の線に対して直角の面を構成している。そのため，上記連結片７の横ルーバ２６の回動方向に対する断面係数はきわめて大きく，包装箱２３を縦積みしたような場合における包装箱２３の変形時に一緒に変形することなく，横ルーバ２６に大きい外力を作用させる原因となる。従って，前記のようにプラスティックの薄板からなり極めて脆弱な横ルーバは，上記のような外力により簡単に損傷する可能性がある。
このような問題点は，以下に述べる本発明実施形態のように，上記のような横ルーバを支持する部材が，横ルーバと当接した場合に比較的弱い力で変形するような構造を採用することで解消される。
【課題を解決するための手段】
【０００５】
前記の問題を解決する為に本発明は，空気調和機を構成する室内機の両端部を把持した状態で該室内機を梱包するための段ボール製サイドパッドが，上記梱包された室内機に設けられた横ルーバの回動軸に平行な第１の折目線に沿って折り曲げられる連結片と，上記連結片と上記横ルーバの回動軸に平行な第２の折目線を介して連結されると共に，上記第２の折目線に沿って折り曲げられ，上記横ルーバの回動端が当接する支持片とを具備して構成されている。
横ルーバと接触する支持片は，横ルーバの回動軸に平行な第２の折目線で折り曲げられている。またこの支持片を支持する連結片も横ルーバの回動軸に平行である。従って，上記連結片も支持片も横ルーバに対して大きい断面係数を持つ部材とはなりえない。
【０００６】
上記支持片の対向する反対側縁部に係合端部をそれぞれ形成しておくと共に，サイドパッドの展開図中に，上記係合端部とそれぞれ対応する係合スリットを形成しておけば，組み立て途中で上記係合端部をそれぞれ対応する上記係合スリットと係合させることで上記支持片をサイドパッド内に位置固定することが出来る。
このような構成によれば，支持片の取り付け位置が安定し，結果的に支持片によって支持された横ルーバの把持状態が安定し，横ルーバに力が掛からないし，また力が掛かった場合でも，横ルーバを損傷するような問題が無い。
この場合，上記支持片を構成する段ボールの骨材の波形状断面に垂直の方向に横ルーバが把持されるように段ボールの板取が行われていれば，上記支持片が横ルーバに掛かった外力により容易に変形し上記外力が吸収されるので，横ルーバの上記外力による損傷が確実に防止される。
【発明の効果】
【０００７】
以上のような構成とする事により，たとえ包装箱の変形により支持片が横ルーバに押し付けられても，これらの支持片は容易に撓む事になり，横ルーバに大きい外力が掛からない。従って，包装箱に外力による変形が生じた場合でも，横ルーバあるいはその回動軸部に予想外の大きい外力が掛からずそれらの損傷が防止される。
【発明を実施するための最良の形態】
【０００８】
以下本発明の実施形態例を図を用いて説明する。尚，説明の便宜上，従来の技術の項に記載した構成と同一の構成については同一の符号を付している。
図１は，本発明の一実施形態にかかる段ボール製サイドパッド２０´の展開図，図２は，同段ボール製サイドパッド２０´における連結片及び支持片の詳細を示す斜視図，図３は同段ボール製サイドパッド２０´の組み立て完成状態を示す斜視図，図５は，同段ボール製サイドパッド２０´と梱包された室内機，特にその横ルーバとの関係を示す概念図である。
【０００９】
この実施形態に係る段ボール製サイドパッド２０´（図３参照）は，その展開図である図１と従来のサイドパッドの展開図である図１３とを比較して分かるように。概要において従来の段ボール製サイドパッド２０と変わりが無い。
【００１０】
ただし，この実施形態に係る段ボール製サイドパッド２０´は，図１に示すように，そのパッド外枠を構成する従来公知の左右折曲片２０−９，２０−９に，上下折曲片２０−６の方に向けて，連結片１０１と，支持片１０２とからなる緩衝部材１００が形成されている点及び，後述するように上記支持片１０２を枠体に固定するための係合スリット１０５及び１０６が折曲片２０−６及び折曲片２０−９にそれぞれ形成されている点において前記従来の段ボール製サイドパッド２０とはまったく異なるし，また図１０〜１２に示した段ボール製サイドパッド２０ともまったく異なる。
即ち，上記緩衝部材１００を構成する上記連結片１０１は，図１に明らかなように，前記従来公知の折曲片２０−９の端部に折目線１０３を介して連結されており，更に支持片１０２は上記連結片１０１の上記折目線１０３とは反対側の端部に，折目線１０４を介して連結されている。言葉を換えて言えば，折曲片２０−９，連結片１０１及び支持片１０２は，前記折目線１０３及び１０４を介してこの順に一体的に連結され，上記折目線１０３及び１０４で折り曲げ自在である。
【００１１】
更に詳しくは，上記支持片１０２の左右相反対側の端部は，後述するように図２に示す組み立て工程で，前記係合スリット１０５と係合するための係合端部１０２ａと，前記係合スリット１０６と係合するための係合端部１０２ｂとを構成している。
図２（ａ）は，この実施形態に係る段ボール製サイドパッド２０´の組み立て途中の状態を示す斜視図であり，従来の段ボール製サイドパッドの組み立て状態を示す図７（ｂ）に対応する図である。
【００１２】
この実施形態に係る段ボール製サイドパッド２０´においても，図２（ａ）に示す組み立て状態までは，図６（ａ）から図７（ｂ）に示す組み立て手順とまったく同じであるが，図２（ａ）に示すように折曲片２０−９の端部に前記した緩衝部材１００が設けられている点においてその後の組み立て手順が図７の従来例とは異なってくる。
即ち，この実施形態に係る段ボール製サイドパッド２０´の場合には，図２（ａ）に示す状態から，前記折曲片２０−９を矢印１１０で示すように内側に折り込むと，前記緩衝部材１００が図２（ｂ）に示すように，矩形状の枠体の角部内側にはみ出した状態となる。
【００１３】
この状態から前記連結片１０１を折目線１０３に沿って矢印１１１の方向に折り曲げると共に，支持片１０２を折目線１０４に沿って連結片１０１に対して矢印１１２の方向に折り曲げると，図２（ｃ）に示すように前記係合端部１０２ａは係合スリット１０５に，また係合端部１０２ｂは係合スリット１０６にそれぞれ嵌まり込んで係合する。これにより支持片１０２は，パッド外枠内に位置固定される。図３は，図２（ｃ）を上下反対向けに見たものである。
【００１４】
図４は，上記のように組み立てられた本実施形態に係る段ボール製サイドパッド２０´によって室内機１を把持した状態の概略断面図であり，室内機１の横ルーバ（この場合上横ルーバ２６ａ）の先端が上記支持片１０２に当接して安定状態を得ていることが理解される。
【００１５】
尚，この実施形態に係る段ボール製サイドパッド２０´の角部を図２（ｃ）に記載した矢印１１３の方向から見た詳細図が図２（ｄ）である。段ボールは通常図に示すように波板状の骨材１１４を表面板１１５，１１５間ではさんだ構造となっており，上記骨材１１４の波状断面の面に交差する方向の曲げ（図２（ｄ）に矢印１１６で示す）には容易に撓むが，これと直行する方向の曲げには大きい強度を持っている。従って，図２（ｄ）に示すように，上記支持片１０２の骨材１１４の波状断面に交差する方向を横ルーバ２６の長手方向と一致させるように段ボールの材料取りを行うことで，支持片１０２と当接する横ルーバ２６に外力が掛かった場合でも，支持片１０２が容易に撓んで上記外力を吸収することが出来，横ルーバ２６の外力による損傷や横ルーバ２６の回動軸部の損傷を防止することが出来る。
【産業上の利用可能性】
【００１６】
本発明は，室内機を梱包支持するための段ボール製サイドパッドに利用することが可能である。
【図面の簡単な説明】
【００１７】
【図１】本発明の一実施形態に係る段ボール製サイドパッドの展開図。
【図２】上記実施形態に係る段ボール製サイドパッドの組み立て手順を示す斜視図。
【図３】組み立てられた段ボール製サイドパッドを示す斜視図。
【図４】組み立てられた段ボール製サイドパッドによって室内機を把持した状態を示す概略断面図。
【図５】室内機の構造を示す図。
【図６】従来の段ボール製サイドパッドの組み立て手順前半を示す斜視図。
【図７】従来の段ボール製サイドパッドの組み立て手順後半を示す斜視図。
【図８】従来の段ボール製サイドパッドの問題点を示す図。
【図９】従来の段ボール製サイドパッドと室内機の関係を示す斜視図。
【図１０】従来の段ボール製サイドパッドの展開図。
【図１１】従来の段ボール製サイドパッドの斜視図。
【図１２】従来の段ボール製サイドパッドの断面図（ａ）及び平面図（ｂ）。
【図１３】従来の段ボール製サイドパッドの展開図。
【符号の説明】
【００１８】
１…室内機
２０´…段ボール製サイドパッド
１００…緩衝部材
１０１…連結片
１０２…支持片
１０３，１０４…折目線
１０５，１０６…係合スリット
１０２ａ，１０２ｂ…係合端部
【図１】
2006089045.tif 000003
【図２】
2006089045.tif 000004
【図３】
2006089045.tif 000005
【図４】
2006089045.tif 000006
【図５】
2006089045.tif 000007
【図６】
2006089045.tif 000008
【図７】
2006089045.tif 000009
【図８】
2006089045.tif 000010
【図９】
2006089045.tif 000011
【図１０】
2006089045.tif 000012
【図１１】
2006089045.tif 000013
【図１２】
2006089045.tif 000014
【図１３】
2006089045.tif 000015